(57)【特許請求の範囲】
【請求項１】
互いに傾斜方向に調節可能に結合された一方の部材と他方の部材とをピンで相互に結合し、その結合機構は多段階に節度を有して変位され、前記ピンには弾性部を持つ切欠き部を設け、前記ピンが嵌合する一方の穴を結合機構の凹、結合機構の凸のいずれかに設け、前記結合機構の凸の先端には複数の窪みをピンの軸線方向と同じ方向に設け、前記設けた複数の窪みに相対する突部を前記結合機構の凹に設け、前記結合機構の凸にはピンの直径に嵌合する他方の穴を結合機構の凸、結合機構の凹のいずれかに設け、前記ピンを左・右から押し込む動作で、傾斜方向をロック・アンロック出来る機構を持つ支柱を柄とした傘。
【発明の詳細な説明】
【技術分野】
【０００１】
傘の支柱の直立状態を支持する支持体に係止もしくは固定して設置して、使用状態で太陽の方向に向けて傘傾斜角度を変更保持し、又傘傾斜角度のロック．アンロック出来.る柄を有する傘に関するものである。
【背景技術】
【０００２】
手で持つ傘のロッド先端部にチルト機構を設け、拡げたときの傘の面積を効率良く利用するようにした物で、（例えば特許文献1）それに対して本願発明は傘傾斜角度を多段階に変位し保持するものと、更にロック出来る機構の物で、傘の支柱を立てた状態を支持する支持体に、係止もしくは固定して設置する使用状態で太陽の位置に合わせて傘傾斜角度を変更して保持するものと、保持及びロック出来るものとあり、支持体に係止もしくは固定し設置して使用するため両手が使える等の相違点がある。
【０００３】
フレキシブルパイプやパイプの組み合わせで、手に持つ傘を差す人が傘の真下に入れるようにした物で、（例えば特許文献２）前述の本願発明優位点相違点は前述の特許文献１の登録ＮＯ  ３６９９３１５と同じ部分がほとんどである。
【０００４】
ヒンジのすり合わせ部に本願発明の凸凹を設けている機構は類似しているが（例えば特許文献3）、本願発明は弾性部（Ｄ）を設け，軸と軸との傾斜方向調節機構とし、軸を軸線方向に凸と凹に分離し、前記凸と凹を組み付けピンで揺動自在に連結した部分，前記ピンを小径と大径との2段にして、前記凹の一方に小径部を固着した部分、前記凸と凹の組み付け部に外筒を設け、傘傾斜角度をロックするロック機構を設けた部分，の所が相違している。
【０００５】
【特許文献１】特許登録ＮＯ  ３６９９３１５
【特許文献２】特開平０８−７０９１８
【特許文献３】特開平０７−７２５５８
【発明の開示】
【発明が解決しようとする課題】
【０００６】
傘の支柱の直立状態を支持する支持体に、係止もしくは固定して設置する使用状態で、太陽の位置に合わせて傘天蓋部の傾斜角度を移動し、移動した位置で傾斜角度をロック．アンロックでき(保持でき)、好天の猛暑の中で涼しさ与え、時間の経過による太陽の位置の変化に合わせて、傘天蓋部を移動し常に日陰の涼しさを味合う中で両手が使かえ、更に突然の雨にも対応出来る傘を提供する事が課題である。  
【課題を解決するための手段】
【０００７】
第一の発明は互いに傾斜方向に調節可能に結合された一方の部材と他方の部材とをピンで相互に結合し、その結合機構は多段階に節度を有して変位され、前記ピンには弾性部を持つ切欠き部を設け、前記ピンが嵌合する一方の穴を結合機構の凹、結合機構の凸のいずれかに設け、前記結合機構の凸の先端には複数の窪みをピンの軸線方向と同じ方向に設け、前記設けた複数の窪みに相対する突部を前記結合機構の凹に設け、前記結合機構の凸にはピンの直径に嵌合する他方の穴を結合機構の凸、結合機構の凹のいずれかに設け、前記ピンを左・右から押し込む動作で、傾斜方向をロック・アンロック出来る機構を持つ支柱を柄とした傘を提供する。
第二の発明は互いに傾斜方向に調節可能に結合された支柱の、一方の部材の結合部の凸と他方の部材の結合部の凹とをピンで相互に結合し、前記結合機構は支柱を傾斜方向に多段階に節度を有して変位され、その結合機構は結合部の凹に弾性部を設け、更に結合部の凹の先端部内面壁に突部を設け、前記突部に相対する窪みを複数個、前記結合部の凸の側面に扇状に設け、前記結合部の凸と結合部の凹とを連結するピンは、小径部と大径部と2段にし、前記結合部の凹の一方に小径部を固着して設け、更に前記結合部の凸と結合部の凹を嵌め合わせた結合機構に外筒を設け、外筒の上・下のスライドにより傾斜角度を多段階に変更し、ロック出来るように構成した機構を支柱に設けた傘を提供する。    
第三の発明は一方の部材と他方の部材とを傾斜方向に調節可能に相互に結合された支柱に、前記結合部を覆う形の筒体を設け、前記一方の部材と他方の部材の結合部を覆う筒体の上部に、支柱傾斜角度を多段階に保持する保持部を設けた機構を支柱に持つ傘を提供する。
【発明の効果】
【０００８】
太陽の位置に合わせて傘天蓋部傾斜角度を移動出来るので、日照時間中猛暑の中で涼しく常に日陰の中に居られる様に成った。
【０００９】
傘の天蓋部に遮光，遮熱，性状の中の少なくとも１性状持つシート体を張付けた事により、傘天蓋部下の涼感が向上した。
【００１０】
傘天蓋部傾斜角度をロック出来るので傘の天蓋部のシート体を多少重く構成出来る様に成った。
【００１１】
傘天蓋部傾斜角度をロック出来るので、多少の風にも傾斜角度保持が出来る様に成った。
【００１２】
傘の天蓋部のシート体の遮光，遮熱性状に防水性状をプラスする事で突然の雨にも対処出来る様に成った。
【実施例】
【００１３】
第一の発明は互いに傾斜方向に調節可能に結合された一方の部材と他方の部材とをピンで相互に結合し、その結合機構は多段階に節度を有して変位され、前記ピンには弾性部を持つ切欠き部を設け、前記ピンが嵌合する一方の穴を結合機構の凹、結合機構の凸のいずれかに設け、前記結合機構の凸の先端には複数の窪みをピンの軸線方向と同じ方向に設け、前記設けた複数の窪みに相対する突部を前記結合機構の凹に設け、前記結合機構の凸にはピンの直径に嵌合する他方の穴を結合機構の凸、結合機構の凹のいずれかに設け、前記ピンを左・右から押し込む動作で、傾斜方向をロック・アンロック出来る機構を持つ支柱を柄とした傘を提供する。
【００１４】
傘の支柱の直立状態を支持する支持体に、係止もしくは固定して設置する使用状態で、傾斜角度を多段階に変更し（保持し）、ロック出来る機構を支柱に持つ傘。
【００１５】
互いに傾斜方向に調節可能に結合された一方の部材（結合機構の凸又は凹）と他方の部材（結合機構の凹又は凸）と、をピン（８ｃ）で相互に結合し（図１・２ｃ）、その結合機構は多段階に節度を有して変位され、前記ピンはピンの径方向断面の円周線を二面直線形状として軸線方向に設け、更に弾性部（９ｃ）を持つ切欠き部を併せて設け、前記ピンが嵌合する一方の穴を結合機構の凹部もしくは結合機構の凸部に設け（図２の場合一方の穴を結合機構の凹部）、前記結合機構の凸部の先端には複数の窪み（ＢＢ−３）をピンの軸線方向と同じ方向に設け、前記設けた複数の窪み（ＢＢ−３）に相対する突部（ＸＸ−３）を前記凹に設け（図４ａ）、前記結合機構の凸部にはピンの直径に嵌合する他方の穴を結合機構の凸部（図２の場合他方の穴２２−８ｃを結合機構の凸部）もしくは結合機構の凹部に設けた物で、前記「結合機構は多段階に節度を有して変位され」と記述している「節度」とは、作動状態の中の動きに節を持ちカチ、カチ、カチ、と僅かな振動を伴っていることを表現したものである。
【００１６】
図４（ａ）は結合機構の凸を持つ軸部に傾斜角度を変更する力が掛かれば変更できる状態で、そのときの複数の窪み（ＢＢ−３）に相対する突部（ＸＸ−３）の噛合い状態は図４（a）で結合機構の凸を持つ軸部２２ｃに傾斜角度を変更する力が掛かると、突部（ＸＸ−３）に２２ｃを上方に押し上げる力が掛かり、ピンの切り欠き部が持つ弾性部９ｃが上に押し上げられ変形し２２ｃが上方に押し上がり｛図２（ｂ）｝２２ｃの突部を乗り越し｛図４（ｂ）｝隣の窪み（ＢＢ−３）に納まり傾斜角度を変位し、さらに傾斜角度を変更する力が掛かると傾斜角度を多段階に変位出来るヒンジの着いた柄を有する傘であって、前記ピン８ｃの切欠き部に設けた弾性部（９ｃ）は多種の構造が有るが、（図５のイメージ図はａ．ｃ．ｅは変形前でｂ．ｄ．ｆは変形時の状態）以降は図２の弾性部９ｃのみで解説する、前記弾性部９ｃはピン８ｃの切り欠き部に固着・ピン成型時にインサート成型する事でも対応できる、又図５のイメージ図５ｃをピンの切り欠き部が持つ弾性部として使用する時の組み付け方法例は、一方の部材（結合機構の凸又は結合機構の凹）と他方の部材（結合機構の凹又は結合機構の凸）を、ピン（８ｃ）を挿入する配置にセット出来る治具にセットし、ピンの切り欠き部に図５ｃの弾性体でピンの巾の１／２〜２／３の巾のリングを乗せてピン（８ｃ）を挿入し（リングの巾を１／２〜２／３のとしたのは、ピンの切り欠き部にセットし挿入し易くて、挿入後の状態が図５ｃに近い状態で、変形時の状態でリングが傾かないで、変形時の図５ｄの状態になるのに適した巾である）図２（a）左端の抜け止めを固着すれば組み付け出来る。
【００１７】
前記傾斜方向を多段階に変位しその所定位置をロックする時は、ピン（８ｃ）を左から右側に押し込み｛図２（ｃ）｝、ロックを解除するときはピン（８ｃ）を右側から左側に押し込む動作をして｛図２（ａ）｝、傾斜角度を変更及びロックする、ロック機構をピン（８ｃ）に持つ傘。
尚実施例では、結合機構の凸部の先端には複数の窪み（ＢＢ−３）をピンの軸線方向と同じ方向に設け、前記設けた複数の窪み（ＢＢ−３）に相対する突部（ＸＸ−３）を前記結合機構の凹に設け、となっているが結合機構の凹部の先端には複数の窪み（ＢＢ−３）をピンの軸線方向と同じ方向に設け、前記設けた複数の窪み（ＢＢ−３）に相対する突部（ＸＸ−３）を前記結合機構の凸部に設けることも出来る。
００１５項・００１９項・００２１項の傾斜方向を多段階に変位する機構を、傘天蓋部を閉じる作動時傘の骨を係止する筒体を支柱上下にスライドさせる範囲内に設定する場合は、ロック機構を持たせた結合部の外径は前記支柱と同じか、筒体を支柱上下にスライドさせ得る外径にする必要がある。
更に遮光・遮熱・性状の少なくとも１性状を持つシート体を張り付けた天蓋部で構成し、又は前記シート体に防水性状をプラスしたシート体（００１８項）を張り付けた傘である。
【００１８】
前記天蓋部のシート体で遮光性状を持つ物には、金属の蒸着フイルム・アルミシート・カーボンブラックフイルム・アルミ蒸着発泡ポリエチレン・テントキャンパス布等があり、
遮熱（断熱）性状を持つ物には、ポリエステル不織布・梱包衝撃緩衝材・発泡ポリエチレン・発泡ポリプロピレン・テントキャンパス布等があり、防水性状を持つ物には、防水加工の布・遮光、遮熱材の中で通水しないフイルム類、もしくはナイロンフイルム・ポリプロピレンフイルム・ビニールフイルム等があるが、これらのシート体には特許登録されている物が多く有るので其の事を確認して使用するか、特許登録されて商品化された物を使用するかする必要がある。
【００１９】
一方の部材（結合部の凸又は結合部の凹）と他方の部材（結合部の凹又は結合部の凸）とが相互に結合され、一方の部材に対し他方の部材が傾斜方向に調節可能に結合され、前記結合機構は傾斜方向に多段階に節度を有して変位され、前記結合機構に外筒（５ｂ）を設けて、所定位置にてロックされる機構（２ｂ・図７ｃ）を持った柄を有する傘に、遮光・遮熱・性状の少なくとも１性状を持つシート体を張り付けた天蓋部で構成し、又は前記シート体に防水性状をプラスしたシート体を張り付けた傘であって、前記一方の部材と他方の部材の結合機構は結合部の凹部外壁に弾性部（Ｄ）を設けるか又は弾性材で構成し、更に結合部の凹部の先端部内面壁に突部（図７ａ）を設け、前記突部（ＸＸ−２）に相対する窪み（ＢＢ−２）を複数個前記結合部の凸の側面に扇状に設け（図７ｂ）、前記結合部の凸と結合部の凹とを連結するピン（８ｂ）は小径部と大径部と2段にし、前記結合部の凹の一方に小径部を固着して設け（図８ａ・図８ｂ）、更に前記結合部の凸と結合部の凹を嵌め合わせた結合機構に外筒（５ｂ）を設け（図７ｃ）、外筒の上・下のスライドにより傾斜角度を多段階に変更し、更にロック出来るように構成した、傾斜角度多段階変更ロック機構から成る支柱を柄とし、天蓋部にシート体を張り付けた傘である。
【００２０】
００１９項の結合部の凸と結合部の凹を嵌め合わせた両部材結合機構（図７ｃ）の作動状態は、前記他方の部材に傾斜方向の力が掛かる時、図７ｃのＡ−Ａ´展開断面図、図９ａから結合部の凹に設けた弾性部Ｄ（図８ａ・ｂ）を支点に結合部の凸が窪み（ＢＢ−２）と窪みの間に形成された突部に乗り上げ図９ｂとなり、弾性部Ｄを持つ結合部の凹部片を押し広げ乗り越し隣の窪みに納まり、次に力がかかる迄変位角度を保持し、更に前記外筒（５ｂ）を下降させると、結合部の凹に設けた弾性部Ｄを支点にした突部（ＸＸ−２）が、結合部の凹を押し広げる事が出来ないのでロック状態となる（図７ｃ）、尚図７では結合部の凹部片方のみの場合を図示しているが両方に突・窪みを設けることも出来る。
【００２１】
００１５項の別実施例の傾斜角度多段階変更保持機構（２ａ部）で、一方の部材（２ａ部の凸又は２ａ部の凹）と他方の部材（２ａ部の凹又は２ａ部の凸）を相互に結合し、前記結合部を覆う形の筒体（３）を設け、前記、一方の部材と他方の部材の結合部を覆う筒体の上部に、支柱傾斜角度を多段階に保持する保持部を設けた（図１１・図１２）、傾斜角度多段階保持機構を支柱に持つ傘で（図１０・２ａ）、図１２の一番高い位置に前記２ａ部の凸部が接しているときは傾斜角度０゜｛図１３（ａ）｝で二番に高い位置に前記２ａ部の凸部が接しているときは傾斜角度２５゜｛図１３（ｂ）｝で、三番に高い位置に前記２ａ部の凸部が接しているときは傾斜角度４０゜｛図１３（ｃ）｝で一番低い位置に前記２ａ部の凸部が接しているときは傾斜角度５５゜｛図１３（ｄ）｝であるが角度設定と段階数は２ａ部の凸部の巾の設定および保持部の個数・高さの自在な設定で変更できる。
【００２２】
従って傾斜角度を変更動作は、一方の部材（２ａ部の凸又は２ａ部の凹）・他方の部材（２ａ部の凹又は２ａ部の凸）のいずれか上に位置する部材と連結している支柱（１）を、直立に近い方向に持ち上げ、結合部を覆う形の筒体（３）を設定および保持したい位置に回して移動し、前記持ち上げた支柱を移動した保持部に保持させるだけで、簡単に傾斜角度の変位が出来る。
【図面の簡単な説明】
【００２３】
【図１】傾斜角度多段階変更ロック機構（２ｃ部）を支柱に持つ傘体側面図
【図２】傾斜角度多段階変更ロック機構の部分断面・作動・ロック状態図
【図３】図２ａのＡ矢視図
【図４】図２ａのＢ−Ｂ´断面・図２ｂのＣ−Ｃ´断面で角度変更時の状態断面図
【図５】図２のピン切欠き部に持たせる弾性部イメージ図でａ、ｃ、ｅが変位前でｂ、ｄ、ｆは変位中の状態図
【図６】傾斜角度多段階変更ロック機構（２ｂ部）を支柱に持つ傘体側面図
【図７】２ｂ部の結合部の凸凹部側面・結合部の凸凹組み付け及び外筒装着図
【図８】２ｂ部の結合部の凸凹の段付ピン組み付け図（ａ・ｂ）
【図９】図７ｃのＡ−Ａ´断面展開図（ａ）・角度変更時の状態Ａ−Ａ´断面展開図（ｂ）
【図１０】傾斜角度多段階変更機構（２ａ部）を支柱に持つ傘体側面図
【図１１】傾斜角度多段階保持機構（２ａ部）の筒体上面図
【図１２】傾斜角度多段階保持機構（２ａ部）の筒体斜視図
【図１３】傾斜角度多段階変更状態図（２ａ部）
【符号の説明】
【００２４】
１．  傘の支柱
２ａ．傾斜角度多段階保持機構
２ｂ．傾斜角度多段階変更保持ロック機構（結合部の凸凹部）
２ｃ．傾斜角度多段階変更保持ロック機構（結合機構の凸凹連結ピン部）
３．  ２ａ傾斜角度多段階保持機構の筒体
５ｂ．２ｂ傾斜角度多段階変更保持ロック機構の外筒
８ｂ．２ｂ傾斜角度多段階変更保持ロック機構のピン
８ｃ．２ｃ傾斜角度多段階変更保持ロック機構のピン
９ｃ．２ｃ傾斜角度多段階変更保持ロック機構のピンの弾性部
１０．傘シート体
１１．傘天蓋部
２１ａ．２ａ傾斜角度多段階変更保持機構の２ａ部の凹部
２１ｂ．２ｂ傾斜角度多段階変更保持ロック機構の結合部の凹部
２１ｃ．２ｃ傾斜角度多段階変更保持ロック機構の結合機構の凹部
２２ａ．２ａ傾斜角度多段階変更保持機構の２ａ部の凸部    
２２ｂ．２ｂ傾斜角度多段階変更保持ロック機構の結合部の凸部     
２２ｃ．２ｃ傾斜角度多段階変更保持ロック機構の結合機構の凸部
２２−８ｃ．２ｃ傾斜角度多段階変更保持ロック機構の結合機構の凸部のピン嵌合孔
ＢＢ−２．結合部の凸部側部平面に設けた複数の窪み
ＢＢ−３．結合機構の凸部の先端に設けた複数の窪み
Ｄ．２ｂ傾斜角度多段階変更保持ロック機構の結合部の凹部の弾性部
ＸＸ−２．ＢＢ−２の窪み相対する突部
ＸＸ−３．ＢＢ−３の窪み相対する突部
【図１】
0004332863.tif 000002
【図２】
0004332863.tif 000003
【図３】
0004332863.tif 000004
【図４】
0004332863.tif 000005
【図５】
0004332863.tif 000006
【図６】
0004332863.tif 000007
【図７】
0004332863.tif 000008
【図８】
0004332863.tif 000009
【図９】
0004332863.tif 000010
【図１０】
0004332863.tif 000011
【図１１】
0004332863.tif 000012
【図１２】
0004332863.tif 000013
【図１３】
0004332863.tif 000014